(57)【特許請求の範囲】
【請求項１】
複数の偏平導体回路を絶縁材により被覆した偏平回路ハーネスを複数個のバッテリの集積体に面着し、前記個々の偏平導体回路を前記個々のバッテリの端子に接続したことを特徴とするバッテリ用ハーネス。
【請求項２】
前記偏平回路ハーネスは、前記バッテリの集積体に面着するバッテリ接続部と、該バッテリ接続部から引き出した配線引出部とを有する請求項１に記載のバッテリ用ハーネス。
【請求項３】
前記バッテリ接続部に前記バッテリの放熱部に連通する放熱用窓部を設けた請求項２に記載のバッテリ用ハーネス。
【請求項４】
前記バッテリに接続する前記導体回路の端部は前記放熱用窓部から導出した請求項３に記載のバッテリ用ハーネス。
【請求項５】
前記バッテリ接続部はプレートにより前記集積体に挟着した請求項２に記載のバッテリ用ハーネス。
【発明の詳細な説明】
【０００１】
【発明の属する技術分野】
本発明は、例えば電気自動車を動かすための複数のバッテリの集積体に接続するバッテリ用ハーネスに関するものである。
【０００２】
【従来の技術】
近年、環境保護の要望が高まるにつれ、電力で動く電気自動車が開発されており、この種の電気自動車の動力源には多数のバッテリが使用されている。これらのバッテリの集積体はケースに収容され、ケースの開口は多数の放熱用窓部を有するパックエンドで覆われている場合が多い。
【０００３】
そして、バッテリの充電電圧を個々に検出して管理することが必要となり、バッテリと電圧測定ユニット間を多数の電線から成るワイヤハーネスを介して接続している。
【０００４】
【発明が解決しようとする課題】
しかしながら、このように従来ではバッテリの端子と電圧測定ユニット間とをワイヤハーネスを介して接続しているので、次のような問題点がある。
【０００５】
(a) 多数本の電線をバッテリ端子と他方の電圧測定ユニットの端子にそれぞれ接続しなければならないため、接続作業性を劣悪にする上に、誤配線が発生し易い。
【０００６】
(b) 配線本数が多く空間スペースを要する。
【０００７】
(c) ワイヤハーネスの配索ルートが固定されないため、ケース表面に設けた放熱用窓部がワイヤハーネスにより塞がれ、湿度が上昇しバッテリの性能を劣化させる。
【０００８】
本発明の目的は、上述の問題点を解消し、組立作業性と信頼性を向上させたバッテリ用ハーネスを提供することにある。
【０００９】
【課題を解決するための手段】
上記目的を達成するための本発明に係るバッテリ用ハーネスは、複数の偏平導体回路を絶縁材により被覆した偏平回路ハーネスを複数個のバッテリの集積体に面着し、前記個々の偏平導体回路を前記個々のバッテリの端子に接続したことを特徴とする。
【００１０】
【発明の実施の形態】
本発明を図示の実施例に基づいて詳細に説明する。
図１は実施例の斜視図を示し、シート状の偏平回路ハーネス１は、バッテリユニット２内のバッテリ３と図示しない電圧測定ユニットとを電気的に接続するようにされており、バッテリユニット２では多数個のバッテリ３が集積されてケース４内に収容されている。偏平回路ハーネス１のバッテリユニット２に面着されたバッテリ接続部５はパックエンドを構成する内側プレート６と外側プレート７に挟着され、ケース４の開口４ａに組み付けられている。そして、バッテリ接続部５から、電圧測定ユニットとを接続する配線引出部８が引き出されている。
【００１１】
図２の一部を切欠した斜視図に示すように、偏平回路ハーネス１は個々のバッテリ３の端子と図示しない電圧測定ユニット端子を個々に接続する偏平導体回路から成る複数本の箔状導体１１が２枚の絶縁シート１２により挟着され、絶縁シート１２を所定の形状に打ち抜くことにより形成されている。バッテリ接続部５において、各箔状導体１１はバッテリ３の放熱部を迂回するように配置されている。
【００１２】
偏平回路ハーネス２１のバッテリ接続部５には、バッテリ３の放熱部に連通する多数の放熱用窓部１５〜１８と、ケース４のねじ孔４ｂに連通するねじ挿通孔１９が形成されている。放熱用窓部１７、１８にはバッテリ３の端子３ａに接続される箔状導体１１の端末部２０が形成されている。
【００１３】
図３の部分拡大斜視図に示すように、端末部２０は絶縁シート１２を付したままバッテリ３の端子３ａ側に折曲され、その先端部は端子３ａに直交するように折曲されている。そして、先端部の絶縁シート１２の除去により舌片状の導体露出部１１ａが形成され、この導体露出部１１ａにはバッテリ３の端子３ａが挿通される端子挿通孔１１ｂが形成されている。
【００１４】
一方、図４の部分拡大斜視図に示すように、内側プレート６のプレート本体２１の周縁には、偏平回路ハーネス１のバッテリ接続部５の周縁を囲む枠部２２が設けられ、枠部２２の一部には偏平回路ハーネス１の配線引出部８を挿通させる溝２３が形成されている。プレート本体２１には偏平回路ハーネス１の放熱用窓部１５〜１８に連通する放熱用窓部２４〜２７と、偏平回路ハーネス１のねじ挿通孔１９に連通するねじ挿通孔２８とが設けられている。また、枠部２２には外側プレート７をロックするためのロック用突起２９が、対向する位置に形成されている。
【００１５】
そして、外側プレート７の矩形状のプレート本体３１は、内側プレート６の枠部２２の内側に嵌合する大きさとされ、偏平回路ハーネス１の放熱用窓部１５〜１８と内側プレート６の放熱用窓部２４〜２７に連通する放熱用窓部３２〜３５と、偏平回路ハーネス１のねじ挿通孔１９と内側プレート６のねじ挿通孔２８に連通するねじ挿通孔３６と、内側プレート６のロック用突起２９と係合するロック用凹部３７とが設けられている。放熱用窓部３２〜３５には、偏平回路ハーネス１の放熱用窓部１５〜１８と内側プレート６の放熱用窓部２４〜２７に嵌入する枠状部３２ａ〜３５ａが突設されている。
【００１６】
偏平回路ハーネス１をバッテリユニット２に接続する際には、先ず内側プレート６の枠部２２と溝２３に偏平回路ハーネス１のバッテリ接続部５と配線引出部８をそれぞれ嵌め込み、外側プレート７を内側プレート６のロック用突起２９の間に押し込む。これにより、外側プレート７が偏平回路ハーネス１のバッテリ接続部５に当接すると共に、外側プレート７の枠状部３２ａ〜３５ａが偏平回路ハーネス１の放熱用窓部１５〜１８と内側プレート６の放熱用窓部２４〜２７に嵌入し、同時に内側プレート６のロック用突起２９と外側プレート７のロック用凹部３７が係合する。
【００１７】
次に、これらの偏平回路ハーネス１、内側プレート６及び外側プレート７の組付体をパッテリユニット２のケース４の開口４ａに被せ、固定ねじをねじ挿通孔３６、１９、２８に通してケース４のねじ孔４ｂに螺合し、それを締め付ける。そして、図５に示すように偏平回路ハーネス１の端子挿通孔１１ｂにバッテリ３の端子３ａを嵌合し、端子３ａにワッシャ４１を介してナット４２を螺合し、ナット４２を締め付ける。
【００１８】
このように実施例では、複数のバッテリ３と電圧測定ユニットとを偏平回路ハーネス１により接続し、この偏平回路ハーネス１では複数本の偏平導体回路１１をバッテリ３の放熱部を迂回するように配置し、これらの偏平導体回路１１を絶縁シート１２で保護し、バッテリ３の放熱部に連通する放熱用窓部１５〜１８を形成したので、偏平回路ハーネス１の端末部２０の位置とバッテリ３の端子３ａの位置を容易に一致させることができる。
【００１９】
従って、偏平回路ハーネス１の端末部２０をバッテリ３と電圧測定ユニットに容易に組み付けることができるため、自動化を含む接続作業性を向上させることができる。また、バッテリ３の放熱部を塞ぐことや誤配線を防止できるので、バッテリ３や電圧測定ユニットの信頼性の向上が可能となる。更に、この偏平回路ハーネス１は型物であると共に薄型であるので、生産性や品質の向上に加えて設置スペースの節約が可能となる。
【００２０】
なお、偏平回路ハーネス１のバッテリ接続部５は内側プレート６と外側プレート７に挟着したが、絶縁シート１２を介在させることなく合成樹脂材料でインサート成形することも可能である。また、放熱用窓部３２〜３５に枠状部３２ａ〜３５ａを形成したが、枠状部３２ａ〜３５ａは必ずしも形成する必要はなく、或いは枠状部３４ａ、３５ａだけであってもよい。
【００２１】
更に、実施例においては偏平回路ハーネス１をバッテリ３の電圧検出に使用する場合について説明したが、電流容量を大きく必要としなければ、この偏平回路ハーネス１を電流を取り出すための回路としても用いることができ、かくすることにより本来の電流取出用のワイヤハーネスは不要となる。
【００２２】
【発明の効果】
以上説明したように本発明に係るバッテリ用ハーネスは、偏平回路ハーネスによりバッテリの集積体を接続したので、端末部をバッテリに容易に組み付けることができるため、自動化を含む接続作業性を向上させることができる。また、生産性や品質の向上に加えて設置スペースの節約が可能となる。
【図面の簡単な説明】
【図１】バッテリユニットと共に示す実施例の斜視図である。
【図２】端末部とバッテリの接続状態の部分拡大断面図である。
【図３】端末部の部分拡大斜視図である。
【図４】内側プレートの部分拡大斜視図である。
【図５】端末部の断面図である。
【符号の説明】
１  偏平回路ハーネス
２  バッテリユニット
３  バッテリ
３ａ  端子
４  ケース
４ａ  開口
５  バッテリ接続部
６  内側プレート
７  外側プレート
８  配線引出部
１１  箔状導体
１２  絶縁シート
１５〜１８、２４〜２７、３２〜３５  放熱用窓部
２０  端末部
２２  枠部
【図１】
0003974689.tif 000002
【図２】
0003974689.tif 000003
【図３】
0003974689.tif 000004
【図４】
0003974689.tif 000005
【図５】
0003974689.tif 000006